(57)【特許請求の範囲】
【請求項１】
織布であるベース生地部分(30)の表面又は表面と裏面に、優れた吸水性を具備したパイル形成用糸(2)を織込んでループパイルにパイル形成固定するようにした浴室用マットを、
（イ）綿繊維からなる綿糸(1a)及びパイル形成用糸(2)に対して１０重量％前後の抗菌加工糸(1)とからなり、
（ロ）該抗菌加工糸(1)はポリエステル繊維(11)又はナイロン繊維のいずれかの合成繊維にその１０〜２０重量％の純銀(12)をメッキしたものとし、
（ハ）綿糸(1a)と抗菌加工糸(1)を緯織糸(10)とし、綿糸(1a)とパイル形成糸(2)とを経織糸(20)として、
（ニ）前記抗菌加工糸(1)の連続織込みによる抗菌加工糸群部(13)が、ベース生地部分(30)の表面又は表裏面に対して、前記抗菌加工糸群部(13)の抗菌加工糸(1)による抗菌作用の確保、パイル形成用糸(2)のパイル形成による立体的装飾性の発揮及び綿糸(1a)とパイル形成用糸(2)とによる浴室用マットとしての吸水性を確保する面積比により、平均的に分布して朧状に顕出されるように織手段により織成したこと。
を特徴とする浴室用抗菌性マット。
【請求項２】
パイル形成用糸(2)のパイル形成による立体的装飾性の発揮手段は、ベース生地部分(30)の表面とパイル形成したパイル形成用糸(2)のパイル形成との段差及びそのパイル形成領域とによるものである請求項１記載の浴室用抗菌性マット。
【請求項３】
ベース生地部分(30)の表面又は表裏面に対し、前記抗菌加工糸(1)の朧状に顕出する面積比は、１０〜３０％である請求項１記載の浴室用抗菌性マット。
【請求項４】
織手段は、ジャカード織手段又は平織手段のいずれかである請求項１記載の浴室用抗菌性マット。
【発明の詳細な説明】
【０００１】
【発明が属する技術分野】
本発明は、浴室の出入口となる更衣室の床上に敷いて使用する浴室用抗菌性マットに関する。
【０００２】
【従来の技術】
一般的には、殺菌、滅菌、消毒、防腐、防菌、防カビ、静菌、除菌等を抗菌と称し、日本薬局方では、殺菌、滅菌、消毒を抗菌と称しているが、これらは同義語として認識されるものであり、微生物を死滅させたり、発育を阻害する作用を持つ化学物質を抗菌剤と定義され、その能力は静菌以上殺菌以下で、生活環境に生息する微生物を対象とし、継続して微生物的清潔さを保つ目的で使用されている。
【０００３】
そして、生活環境に生息する微生物中、細菌に属するグラム陰性菌（大腸菌、サルモネラ菌等）とグラム陽性菌（ブドウ球菌、乳酸菌等）特に、細菌の増殖と分解が不快臭の発生原因になることがわかり、生活環境の快適指向、高齢化社会に対応して、銀メッキをした繊維素材を使用した抗菌物品、例えば、シーツ、布団、毛布などの寝具、肌着、カーテン、カーペットをはじめ、院内感染を防ぐ病院用や乗り物用などにも幅広く使われている。
【０００４】
これは、シリカ、アルミナ、ゼオライト、ガラス等のセラミクス微粒子に銀イオンを担持させた構造の無機系抗菌剤は、銀イオンが菌体内に侵入しタンパク質のSH基と結合してタンパク質を変性し、代謝系を破壊し酵素活性阻害を起こさせ、皮膚に金属アレルギーを起こすことなく細菌の増殖を抑えて、菌体に対して細胞の増殖を阻止する高い殺菌効果があることによる。
【０００５】
【発明が解決しようとする課題】
ところが、前記したシーツ、布団、毛布などの寝具、肌着、カーテン、カーペット等は、物品を構成する織糸又は編糸の一部として、繊維素材に銀メッキを施した抗菌加工糸を平均的に織込み又は編込んで、前記抗菌加工糸を表面の広い範囲に平均的に露呈させ、或いは全面に抗菌加工層を形成した生地を使用して製作した構成であるために、多くの抗菌加工糸を使用する結果、抗菌加工糸を使用しないものに比べれば高価となり、しかも日常において常設使用される環境においては、繰り返し実施される洗濯や、踏付け使用頻度に比例した擦れによって、銀メッキの剥がれによる抗菌作用の早期低下を招き、抗菌作用の維持と耐久性の向上を両立させ難いものであった。
【０００６】
特に本発明の対象物品である浴室用マットは、カーペット等に比べ面積的に狭いものであるため、面積当りの踏み付け擦れ頻度は極めて高くなり、しかも浴室又は浴室内から出た床面上に敷設して使用するものであるから、優れた吸水性、柔軟性、感触等が要求される。
【０００７】
しかも使用環境が、常に細菌の増殖に適した温度と湿気に晒される場所であることから、カーペット等と異なり抗菌作用の長期にわたる維持と発揮を内容とする耐久性と、微生物的清潔さを保つことが強く要求されるものである。
【０００８】
しかし、従来の上記各種抗菌処理をした繊維製品と同様、単に銀メッキを施した繊維素材を用いて織製又は編製するだけでは、高価な抗菌加工糸の使用量が多くなって商品コストの高騰を招くだけでなく、インテリア物品としての浴室用マットに期待される雅趣に富んだインテリア的装飾性の付与が困難となったり、抗菌効果は期待できるもののゴワゴワしたものとなって、浴室用マットとして要求される重要機能、すなわち吸水性、柔軟性、装飾性、耐久性、無臭性等を確保し難い等、多くの解決課題があった。
【０００９】
本発明は、少ない抗菌加工糸の有効的使用によって、浴室用マット本来の吸水性、柔軟性、装飾性、耐久性、無臭性等の重要機能を堅持しつつ、長期にわたって抗菌効果を維持できる耐久性に優れた浴室用抗菌マットを安価に提供することを課題とする。
【００１０】
【課題を解決するための手段】
本発明に係る浴室用抗菌マットは、織布であるベース生地部分(30)の表面又は表面と裏面に、優れた吸水性を具備したパイル形成用糸(2)を織込んでループパイルにパイル形成固定するようにした浴室用マットを、
（イ）綿繊維からなる綿糸(1a)及びパイル形成用糸(2)に対して１０重量％前後の抗菌加工糸(1)とからなり、
（ロ）該抗菌加工糸(1)はポリエステル繊維(11)又はナイロン繊維のいずれかの合成繊維にその１０〜２０重量％の純銀(12)をメッキ（経済的に好ましくは合成繊維に対して１６重量％）したものとし、
（ハ）綿糸(1a)と抗菌加工糸(1)を緯織糸(10)とし、綿糸(1a)とパイル形成糸(2)とを経織糸(20)として、
（ニ）前記抗菌加工糸(1)の連続織込みによる抗菌加工糸群部(13)が、ベース生地部分(30)の表面又は表裏面に対して、前記抗菌加工糸群部(13)の抗菌加工糸(1)による抗菌作用の確保、パイル形成用糸(2)のパイル形成による立体的装飾性の発揮及び綿糸(1a)とパイル形成用糸(2)とによる浴室用マットとしての吸水性を確保する面積比率により、平均的に分布して朧状に顕出されるように織手段により織成したことを特徴とする。
【００１１】
【発明の効果】
上記の要件のもとで、綿糸(1a)と抗菌加工糸(1)を緯織糸(10)とし、綿糸(1a)とパイル形成糸(2)とを経織糸(20)として、代表的なジャカード織手段又は平織手段のいずれかの手段により織成したことにより、少ない抗菌加工糸の有効的使用によって、浴室用マット本来の吸水性、柔軟性、装飾性、耐久性、無臭性等の重要機能を堅持しつつ、長期にわたって抗菌効果を維持できる耐久性に優れた最適の浴室用抗菌マットを安価に提供することができるようになった。
【００１２】
すなわち、浴室用マットを対象とし、綿繊維からなる綿糸(1a)及びパイル形成用糸(2)に対して１０重量％前後の少ない抗菌加工糸(1)、それもポリエステル繊維(11)又はナイロン繊維のいずれかの合成繊維にその１０〜２０重量％の純銀(12)をメッキ（経済的に好ましくは合成繊維に対して１６重量％）した抗菌加工糸(1)であり、しかもベース生地部分(30)の経織糸(20)と同方向にパイル形成用糸(2)を織込み、前記ベース生地部分(30)の表裏片方全面積に対し、所定の面積比率で抗菌加工糸群部(13)が平均的且つ朧状に分散顕出されるよう、ジャカード織手段によりループパイルにパイル形成固定するよう織成したにより、抗菌加工糸(1)に直接的に接する皮膚面等の細菌に対して十分に抗菌作用を発揮することによる。
【００１３】
また、細菌が繁殖し易いベース生地部分(30)及びパイル形成用糸(2)のパイル形成部内の細菌及び該パイル形成用糸(2)のパイル形成部を介しての皮膚面等の細菌に対しても、メッキされた銀イオンとパイル形成用糸(2)に吸水された水分との相乗作用によりタンパク質のSH基と結合してタンパク質を変性し、代謝系を破壊し酵素活性阻害を起こさせ、皮膚に金属アレルギーを起こすことなく細菌の増殖を抑えるだけでなく、増殖機能を消失させ、また菌体に対して殺菌するようになるすることによるものと考えられる。
【００１４】
このように、合成繊維に純銀(12)をメッキした合成繊維からなる抗菌加工糸(1)を部分的且つ平均的に分散させて朧状に露呈顕出することにより、高価な抗菌加工糸(1)の多くを使用することなく純銀(12)の必要最小限の優れた抗菌作用が発揮されることから経済的となり、また抗菌加工糸群部(13)を平均的に分散して露呈させた部分においては、皮膚面に対して特に優れた抗菌作用があり、他のループパイルとしたパイル形成用糸(2)のパイル形成固定面においては、吸水時の水分との協働により銀イオンによる雑菌発生抑止、殺菌効果が十分に発揮されて、多発する悪臭を無臭化して衛生的使用を可能とする。
【００１５】
しかも朧状に顕出している抗菌加工糸群部(13)以外の広い面に形成される、パイル形成用糸(2)によるループパイルのパイル形成部分は、マット全体の綿糸使用量に対し、純銀(12)をメッキした合成繊維からなる抗菌加工糸(1)の使用量が非常に少ないため、浴室用マットに要求される本来の吸水性と柔軟性を堅持する。
【００１６】
またパイル形成部分に囲まれた抗菌加工糸群部(13)が、足裏で直接擦られることが軽減されてその剥離を抑止し、且つパイル形成部分で覆われた抗菌加工糸群部(13)は、抗菌作用を失うことなく擦れ摩耗から保護されて吸水分との協働により銀イオンによる抗菌作用を長期にわたって維持発揮し、抗菌効果の持久性、耐久性に優れた浴室用抗菌マットととして、非抗菌性マットとの比較においても安価に提供することができるのである。
【００１７】
特にベース生地部分(30)の表裏片方全面積に対し抗菌加工糸(1)が朧状に顕出する面積比は、比率設定を変更してそれぞれの場合についてチェックした結果、浴室用マット本来の吸水性、柔軟性、装飾性、耐久性、無臭性等の重要機能と、長期にわたって抗菌効果を維持できる耐久性に優れた効果が得られる範囲は、特許請求の範囲においては特定しなかったが、後記抗菌力評価試験の結果１０〜３０％の範囲が好ましいものであった。
【００１８】
これは浴室用抗菌マットの試供品（ベース生地部分(30)の表裏片方全面積に対し抗菌加工糸(1)が朧状に顕出する面積比１０〜３０％）について、黄色ブドー球菌株、肺炎桿菌及び大腸菌株の場合の抗菌力評価試験をＳＥＫ菌数測定法（試供品0.4gをオートクレーブで滅菌後、約105CFU/mlになるように1/20ニュートリント培地で調製した菌液0.2mlを試供品に接種し、37℃で保存後、経時的に菌数を測定する方法）により行った。
【００１９】
その結果、ポリエステル繊維(11)又はナイロン繊維のいずれかの合成繊維に対する純銀(12)のメッキ率にもよるが、コスト面で最適の１０〜２０重量％の前記範囲において、接種した菌数の経時変化は、接種時から１時間内ではゼロとはならなかったものの、減数変化となり、その後１８時間は検出されず、殺菌、除菌により浴室用マットとして要求される抗菌効果が発揮維持されることが判明した。
【００２０】
すなわち、前記範囲の下限以下では、浴室用マットとしてのコスト及び吸水性において優れるけれども、必要以上の吸水性を発揮することによって踏み付け感触を低下させる結果となり、また柔らか過ぎて定置性が阻害されたり十分な装飾性や耐久性が得られない点に難があるだけでなく、接種した菌数の経時変化も３時間程度の減少傾向から横ばい状態となることから、最も肝心な抗菌効果についてニーズに応えられるものではなかった。
【００２１】
また前記面積比率１０〜３０％範囲の上限以上では、前記下限以下の場合とは逆に、接種した菌数は短時間で略ゼロとなる急傾斜の減少傾向を示した後、横ばい状態となって、必要以上の抗菌効果を得ることはできるけれども、浴室用マットとしての吸水性を確保できないばかりか、全体が抗菌加工糸の剛性によってゴワゴワして踏み付け感触を低下させ、しかも床面に対する滑り易さを招来して、踏み付け時に転倒する等の危険性やコストが高くなる点において問題があり、採用できるものではなかったことによる。
【００２２】
そして本発明に係る浴室用抗菌マットによれば、多色織りが可能なジャカード織手段、平織手段により織成することにより、平織り状態のベース生地部分(30)とパイル形成用糸(2)によるループパイルのパイル形成部分との面積比及び毛立ち長さ差（厚みの高低差）による多種多様の立体的柄模様、色糸による色彩模様等を表現させ得、浴室（更衣室）のインテリアに最適な図柄模様等を創作設定できる自由性の範囲を広げることが可能となり、一層優れた抗菌効果の発揮、コストの低廉化が図れる最適の浴室用抗菌マットが提供できる。
【００２３】
また、前記ベース生地部分(30)の表面又は表面と裏面のパイル形成用糸(2)により形成されたパイル形成部は、浴室用マットに要求される本来の吸水性と柔軟性を堅持するとともに、パイル形成部に囲まれた抗菌加工糸群部(13)が直接的に擦られることを軽減し且つパイル形成部分で覆われた抗菌加工糸群部(13)は、抗菌作用の喪失を防止しして擦れ摩耗から保護することから、長期にわたって抗菌効果が維持でき、またパイル形成部分で覆われた抗菌加工糸群部(13)は、パイル形成内部における抗菌作用と防カビ効果を発揮して悪臭の発生を防止し、耐久性に優れた浴室用抗菌マットを提供することができる。
【００２４】
なお、本発明において使用する合成繊維としては、純銀(12)のメッキが可能な合成繊維、例えば、ポリエステル繊維(11)、ナイロン繊維、テトロン繊維、アクリル繊維、ポリプロピレン繊維のいずれか又は二種以上を混ぜたものが使用できるが、ポリエステル繊維(11)或いはナイロン繊維の使用が、銀メッキ強度、繊維素材コスト、製作性、耐久性において、最適の抗菌メカニズムを発揮する浴室用抗菌性マットとして提供できることから好ましい。
【００２５】
また、最近は病院内での感染菌ＭＲＳＡ（メチシリン耐性黄色ブドウ球菌）による問題、抗生物質に耐える菌も生まれ対策が望まれているが、ＭＲＳＡの増殖を抑えるエピコモド（商標・・東洋紡）繊維の採用により、抗菌防臭のほか殺菌剤の使用でＭＲＳＡの増殖を抑え、悪臭の原因になるブドウ球菌、大腸菌の生育を阻止して悪臭を防止する効果が得られる反面、速効性のあるものについては耐久性・持続性が少ないのが欠点であるが、本発明に係る浴室用抗菌性マットの構成によれば、殺菌効果の安定性と持久性を向上させることができる。
【００２６】
【発明の実施例】
本発明の実施例に係る浴室用抗菌マットは、両面パイル組織又は片面パイル組織としたものであり、綿繊維からなる綿糸(1a)及びパイル形成用糸(2)に対して１０重量％前後の抗菌加工糸(1)とからなる。
【００２７】
前記抗菌加工糸(1)は、ポリエステル繊維(11)の合成繊維にその１０〜２０重量％の純銀(12)をメッキしたものとし、これら綿糸(1a)と抗菌加工糸(1)及びパイル形成用糸(2)を、ジャカード織手段によって織成したものである。
【００２８】
この場合、綿糸(1a)と抗菌加工糸(1)を緯織糸(10)とし綿糸(1a)を経織糸(20)とし且つ前記抗菌加工糸(1)の連続的織込みにより抗菌加工糸群部(13)を平均的且つ分散して朧状に顕出する組織とするベース生地部分(30)に織成する。
【００２９】
しかも前記ベース生地部分(30)の経織糸(20)と同方向にパイル形成用糸(2)を織込み、前記ベース生地部分(30)の表裏片方全面積に対し１０〜３０％の面積が抗菌加工糸(1)が朧状に顕出するように織成し、抗菌加工糸群部(13)の抗菌加工糸(1)による抗菌作用の確保、パイル形成用糸(2)のパイル形成による立体的装飾性の発揮及び綿糸(1a)とパイル形成用糸(2)とによる浴室用マットとしての吸水性を確保したことを特徴とする物である。
【００３０】
（実施例１）
本発明の実施例１に係る浴室用抗菌マットは、綿繊維からなる綿糸(1a)及びパイル形成用糸(2)に対して１５重量％の抗菌加工糸(1)としたこと、
該抗菌加工糸(1)はポリエステル繊維(11)の合成繊維にその１５重量％の純銀(12)をメッキ（経済的に好ましくは合成繊維に対して１６重量％）した抗菌加工糸(1)としたこと、
ベース生地部分(30)の経織糸(20)と同方向にパイル形成用糸(2)を織込み、前記ベース生地部分(30)の表裏片方全面積に対し２５％の面積が抗菌加工糸(1)が朧状に顕出する面積となるようにすること、
しかも綿繊維製のパイル形成用糸(2)を、前記抗菌加工糸(1)により形成される抗菌加工糸群部(13)が平均的且つ朧状に分散顕出されるようジャカード織手段により両面にループパイルをパイル形成固定した両面パイル組織としたこと、
の各要件を具備するように織成したことを特徴とするものである。
【００３１】
即ち、本発明の実施例１に係る浴室用抗菌マットは、前記したようにジャカード織りにより両面パイル組織に形成したものであり、図１は模式的に示した外観平面図、図２は図１のＡ部分を拡大して模式的に示した拡大略図、図３は模式的に示した織組織の部分拡大組織図、図４は模式的に示した外観底面略図であり、以下に説明する抗菌加工糸(1)は輪郭線と同様、太線で示し、パイル膨出面は梨地、綿糸(1a)とパイル形成用糸(2)は細線で図示している。
【００３２】
まず、図１の外観平面略図に示した浴室用抗菌マットは、ジャカード織機（一枚が筬42＃、針数500本、打込み46本／吋に設定）により浴室用抗菌マット１２枚分を織成した後、裁断、縫製、加工し、仕上りサイズ40×60×218g/枚、重量2625g／1ダースとしたものである。
【００３３】
そして、ベース生地部分(30)の織糸の一部に、繊度26.4デニール、繊維長さ35mm、ポリエステル繊維62g/m2を織糸として、抗菌加工糸(1)（16.7重量％の純銀をメッキしてなるポリエステル繊維を綿糸に撚り込んだポリエステル撚り込み綿糸）と綿糸(1a) を緯織糸(10)とし、パイル形成用糸(2)と綿糸(1a)とを経織糸(20)として織成したものである。
【００３４】
さらに詳しくは、ジャカード織機によって、前記緯織糸(10)と経織糸(20)とでジャカード織りしたもので、40/1番手（132デニール）の糸の二本を合糸した40/2番手（264デニール）の糸を使用している。
【００３５】
即ち、40/1番手の糸は
0003663510.tif 000002
とし、40/2番手の糸は、
0003663510.tif 000003
としている。
【００３６】
以上説明したように、図１の平面略図に示した浴室用抗菌マットのベース生地部分(30)は、該ベース生地部分(30)の織糸の一部に、繊度26.4デニール、繊維長さ35mm、ポリエステル撚り込み綿糸62g/m2を織糸として、その16.7重量％の純銀をメッキしてなる抗菌加工糸(1)と綿糸(1a) を緯織糸(10)とし、パイル形成用の綿糸(1a)（パイル形成用糸(2)）と地経用の綿糸(1a)とを経織糸(20)として織成する。
【００３７】
そして、前記抗菌加工糸(1)により形成した抗菌加工糸群部(13)を、所要サイズの浴室用マット表面の面積に対し抗菌加工糸群部(13)の抗菌加工糸(1)の露呈面積比率を25％としてその他の部分による吸水性を具備させる。
【００３８】
これにより、入浴上がりに頻繁に踏み付けられる中央部とその周囲部分での吸水性と抗菌性とが確保でき、特に入浴上がりに頻繁に踏み付けられる中央部とその周囲部分を主要部として上記条件を具備させ平均的且つ朧状に分散顕出されるようにジャカード織り組織に織成する。
【００３９】
前記抗菌加工糸群部(13)の平均的且つ朧状の分散顕出は、図１、図４に示すように、打込みによる抗菌加工糸(1)とポリエステル繊維(11)糸とが帯状に所定間隔で縞状に顕れるように、ベース生地部分(30)の経織糸(20)とパイル形成用糸(2)である経織糸(20)との織成及びジャカード織り手段による織成により形成した、パイル形成したパイル形成用糸(2)のパイル形成とベース生地部分(30)面との段差とその毛立領域とによるものとし、抗菌加工糸群部(13)のベース生地部分(30)面に対する平均的且つ朧状の分散顕出比率は25％程度とする。
【００４０】
特に入浴上がりに頻繁に踏み付けられる中央部とその周囲部分を主要部として、浴室用マット表面の面積に対し抗菌加工糸群部(13)の抗菌加工糸(1)の露呈面積比率を25％として吸水性を具備させたことにより、入浴上がりに頻繁に踏み付けられる中央部とその周囲部分での吸水性と抗菌性の確保と抗菌作用を良好とすることができる。
【００４１】
またこれによって、毛立ち長さ差（厚みの高低差）による立体的柄模様等を表現させ得ると共に、抗菌加工糸群部(13)の優れた抗菌効果が、ベース生地部分(30)がパイル形成用糸(2)で覆われた膨出面内部と抗菌加工糸群部(13)面に接触する足裏皮膚面に効率的且つ効果的に作用し、本来浴室用マットとして要求される吸水性と柔軟性を喪失させること無く、長期にわたって抗菌効果の維持できる耐久性に優れた浴室用抗菌マットとすることができる。
【００４２】
しかも、抗菌加工糸群部(13)の抗菌加工糸(1)の露呈面とパイル形成部分の形態を適宜の図柄、紋様に形成することによって、インテリア商品としての装飾性を具備させることができるものであり、抗菌効果を発揮する浴室用マットとして最適品を製作することができることは言うまでもない。
【００４３】
なお上記実施例１においては、図示の都合上、膨出面のパイル非形成部分(32)を六角形に示して説明しているが、該パイル非形成部分(32)の朧状の露呈形状は、前記抗菌加工糸群部(13)のベース生地部分(30)面に対する平均的且つ朧状の分散顕出比率の１０％以下とすると必要以上に吸水性が高まる反面、抗菌効果が低下し、３０％以上とすれば抗菌加工糸群部(13)面に接触する足裏皮膚面に効率的且つ効果的に作用するが、本来浴室用マットとして要求される吸水性と柔軟性を低下させることから好ましくない。
【００４４】
また、ポリエステル繊維(11)への純銀(12)のメッキは、ポリエステル繊維(11)に対して１０重量％以下ではコストの低廉化が図れるが、十分なる抗菌効果が得られないばかりか、剥離等により耐久性を堅持できず、２０重量％以上の純銀(12)をメッキした場合には、十分なる抗菌効果は得られるが、コストが高騰化するだけでなく、本来浴室用マットとして要求される吸水性と柔軟性を喪失させることから好ましくない。
【００４５】
（実施例２）
本発明の実施例２に係る浴室用抗菌マットについては図示省略したが、前記実施例１におけるポリエステル繊維(11)の代わりにタイプ６６のナイロン繊維(11)を使用して片面パイル組織としたもので、他の構成は前記実施例１と同様であり、また作用効果についても同様の結果を得ることが出来た。なお図においては、ポリエステル繊維(11)もタイプ６６のナイロン繊維(11)も同一符号(11)で示している。
【００４６】
上記実施例２に係る浴室用抗菌マットも、実施例１に係る浴室用抗菌マットと同様、優れた吸水性を具備するものとなる。そして、入浴上がりに頻繁に踏み付けられる中央部とその周囲部分での吸水性と抗菌性を確保でき、特に入浴上がりに頻繁に踏み付けられる中央部とその周囲部分を主要部として上記条件を具備させ平均的且つ朧状に分散顕出されるように成り、これによって本来浴室用マットとして要求される吸水性と柔軟性を堅持するとともに、抗菌作用をする銀メッキの膜を保護して長期にわたって抗菌効果が維持できる耐久性に優れた浴室用抗菌マットを提供することができる。
【００４７】
上記実施例１及び実施例２に係る浴室用抗菌マットはいずれも、入浴上がりに頻繁に踏み付けられる中央部とその周囲部分での吸水性と抗菌性の確保と抗菌作用を良好とすることができ、しかも本発明の課題である、少ない抗菌加工糸(1)の有効的使用によって、浴室用マット本来の吸水性、柔軟性、装飾性、耐久性等の重要機能を堅持しつつ、長期にわたって抗菌効果を維持できる耐久性に優れた浴室用抗菌マットを安価に提供することを達成することができる。
【図面の簡単な説明】
【図１】  実施例１に係る浴室用抗菌マットを模式的に示した外観平面図。
【図２】  図１のＡ部分を拡大して模式的に示した拡大略図。
【図３】  実施例１に係る浴室用抗菌マットを模式的に示した織組織の部分拡大組織図。
【図４】  実施例１に係る浴室用抗菌マットを模式的に示した外観底面略図。
【符号の説明】
(1)     抗菌加工糸
(1a)    綿糸
(10)    緯織糸
(11)    ポリエステル繊維又はタイプ６６のナイロン繊維
(12)    純銀
(13)    抗菌加工糸群部
(2)     パイル形成用糸
(20)    経織糸
(30)    ベース生地部分
(31)    パイル膨出面
(32)    パイル非形成部分
【図１】
0003663510.tif 000004
【図２】
0003663510.tif 000005
【図３】
0003663510.tif 000006
【図４】
0003663510.tif 000007